(57)【要約】      （修正有）【課題】蛍光管を内蔵しているディスプレイ装置において、コスト及び時間をかけることなく、発光源をＬＥＤに変更するＬＥＤ支持体を提供する。【解決手段】蛍光管を備えたディスプレイ装置の蛍光管に装着できるＬＥＤ支持体１０であって、ＬＥＤが固定される支持板１２と、該支持板に固定され、上記蛍光管を径方向に挟持しうる挟持部１３とを有し、上記蛍光管上において、ディスプレイ装置前方へ向けて装着できるように構成されている。【選択図】図１
0003169336.tif 000002
【実用新案登録請求の範囲】
【請求項１】
蛍光管を備えたディスプレイ装置の蛍光管に装着できるＬＥＤ支持体であって、ＬＥＤが固定される支持板と、上記支持板に固定され、上記蛍光管を径方向に挟持しうる挟持部とを有し、上記蛍光管上において、ディスプレイ装置前方へ向けて装着できるように構成されていることを特徴とするＬＥＤ支持体。
【請求項２】
上記支持板は平面長方形状であって、長さ方向に沿って複数のＬＥＤが配置固定されるように構成されると共に、上記挟持部は上記蛍光管を上下方向において挟持しうる一対の挟持片からなることを特徴とする請求項１記載のＬＥＤ支持体。
【請求項３】
上記挟持部は横断面略コ字状に形成され、平面長方形状の支持板取付片部と、
上記支持板取付片部の幅方向両端部から幅方向内方へ折曲形成されると共に幅方向内方への付勢力を有する一対の挟持片とからなり、上記挟持片には幅方向外方へ折曲された先端部が形成され、上記一対の先端部の基部の間の間隔寸法は蛍光管の径寸法よりも小さく形成されていることを特徴とする請求項２記載のＬＥＤ支持体。
【請求項４】
上記支持板取付片部の裏面側には滑り止め部材が固定されていることを特徴とする請求項３記載のＬＥＤ支持体。
【請求項５】
上記支持板はアルミ複合板により形成されると共に、上記挟持部はアクリル製対衝撃樹脂材であることを特徴とする請求項３記載のＬＥＤ支持体。
【考案の詳細な説明】
【技術分野】
【０００１】
本考案は、ＬＥＤ支持体に係り、特に、ディスプレイ装置に内装される蛍光管に装着できるＬＥＤ支持体に関する。
【背景技術】
【０００２】
従来より、量販店等の屋内には、内蔵された蛍光管により発光して商品名等を表示するディスプレイ装置が多数配置され、様々な商品のディスプレイを行うことにより販促効果を得るように使用されている。
【０００３】
図６に示すように、このような従来の蛍光管を使用したディスプレイ装置４０は、断面方形状のカバー部材４１の内部には、カバー部材４１の背面板４２に蛍光灯装置４６が固定され、離間して配置された一対の電極部４３、４３の間に蛍光管４４が支持固定されて配設され、上記電極部４３、４３により蛍光管４４に対して通電された場合には、蛍光管４４が発光して、正面板４５に設けられた各種のディスプレイ表示を内部から浮き上がらせるように構成されている。
【０００４】
しかしながら、一般的に、様々な発光装置においては、エコロジーが謳われる昨今、所定の電力を必要とする蛍光管から、より省エネルギー効果の高いＬＥＤへの変換が行われてきている。この事情は、特に、東日本大震災後の、電力節約の状況下では、切実なものがある。
【０００５】
従って、上記の量販店における蛍光管を内蔵したディスプレイ装置にあっても、節電の観点から、発光源を蛍光管からＬＥＤへ変換することが要請されている。
しかしながら、各地に多数存在する量販店内に、多数配置されているディスプレイ装置の蛍光管をＬＥＤ発光装置へ変更するためには、蛍光管の装着部、電源供給部、蛍光管等の構成部材を全てを取り外してＬＥＤ発光装置へ交換する必要があり、設備改変にコストと時間がかかる、という不具合があった。
【考案の開示】
【考案が解決しようとする課題】
【０００６】
本考案の課題は、蛍光管を内蔵しているディスプレイ装置において、コスト及び時間をかけることなく、発光源をＬＥＤに変更することにある。
【課題を解決するための手段】
【０００７】
上記課題を解決するために、請求項１記載の考案にあっては、蛍光管を備えたディスプレイ装置の蛍光管に装着できるＬＥＤ支持体であって、ＬＥＤが固定される支持板と、上記支持板に固定され、上記蛍光管を径方向に挟持しうる挟持しうる挟持部とを有し、上記蛍光管上において、ディスプレイ装置前方へ向けて装着できるように構成されていることを特徴とする。
従って、請求項１記載の考案にあっては、現在使用されている蛍光管を内蔵したディスプレイ装置内の蛍光管にそのまま装着して使用することができることから、蛍光灯装置を取り外す必要がない。
【０００８】
請求項２記載の考案にあっては、上記支持板は平面長方形状であって、長さ方向に沿って複数のＬＥＤが配置固定されるように構成されると共に、上記挟持部は、上記蛍光管を上下方向において挟持しうる一対の挟持片からなることを特徴とする。請求項２記載の考案にあっては、上記一対の挟持片を、現在装着されている蛍光管に挟持させることにより装着することができる。
【０００９】
請求項３記載の考案にあっては、上記挟持部は横断面略コ字状に形成され、平面長方形状の支持板取付片部と、上記支持板取付片部の幅方向両端部から幅方向内方へ折曲形成されると共に幅方向内方への付勢力を有する一対の挟持片とからなり、上記挟持片には幅方向外方へ折曲された先端部が形成され、上記一対の先端部の基部の間の間隔寸法は蛍光管の幅寸法よりも小さく形成されていることを特徴とする。
【００１０】
従って、請求項３記載の考案にあっては、上記一対の挟持片により上記蛍光管を挟持させることにより蛍光管にＬＥＤ支持体を装着する。この場合、上記一対の挟持片は幅方向内方への付勢力を有する一対の挟持片とからなり、上記挟持片には幅方向外方へ折曲された先端部が形成され、上記一対の先端部の基部の間の間隔寸法は蛍光管の径寸法よりも小さく形成されていることから、装着時には、蛍光管へ挟持部を圧入し、一対の挟持片の付勢力により蛍光管へ固定される。
【００１１】
請求項４記載の考案にあっては、上記支持板取付片部の裏面側には滑り止め部材が固定されていることを特徴とする。従って、請求項４記載の考案にあっては、上記滑り止め部材を介して蛍光管に当接する。
【００１２】
請求項５記載の考案にあっては、上記支持板はアルミ複合板により形成されると共に、上記挟持部はアクリル樹脂製対衝撃樹脂材であることを特徴とする。
【考案の効果】
【００１３】
請求項１記載の考案にあっては、蛍光管を備えたディスプレイ装置の蛍光管に装着できるＬＥＤ支持体であって、ＬＥＤが固定される支持板と、上記支持板に固定され、上記蛍光管を径方向に挟持しうる挟持しうる挟持部とを有し、上記蛍光管上において、ディスプレイ装置前方へ向けて装着できるように構成されていることから、現状の蛍光管を内蔵したディスプレイ装置に使用されている蛍光灯部を取り外さず、構造を何ら変更することなく、内蔵されている蛍光管そのものに本考案に係るＬＥＤ支持体を装着することにより、光源をＬＥＤに変更することができ、その結果、蛍光灯装置からＬＥＤ装置への取替えに要するコスト及び時間をかけることなく、発光体を蛍光管からＬＥＤに変更することができる。
請求項２記載の考案にあっては、上記支持板は平面長方形状であって、長さ方向に沿って複数のＬＥＤが配置固定されるように構成されると共に、上記挟持部は、上記蛍光管を上下方向において挟持しうる一対の挟持片からなること、管に挟持させることにより装着することができることから、発光源としてのＬＥＤへの変更作業を容易かつ迅速に行うことができる。
【００１４】
請求項３記載の考案にあっては、支持部は横断面略コ字状に形成され、平面長方形状の支持板取付片部と、上記支持板取付片部の幅方向両端部から幅方向内方へ折曲形成されると共に幅方向内方への付勢力を有する一対の挟持片とからなり、上記挟持片には幅方向外方へ折曲された先端部が形成され、上記一対の先端部の基部の間の間隔寸法は蛍光管の径寸法よりも小さく形成されていることから、上記一対の挟持片により上記蛍光管を挟持させることにより蛍光管にＬＥＤ支持体を装着でき、装着時には、蛍光管へ挟持部を圧入し、一対の挟持片の付勢力により蛍光管へ固定するように構成されていることから、確実にＬＥＤ支持体を蛍光管上に固定することができる。
【００１５】
請求項４記載の考案にあっては、上記支持板取付片部の裏面側には滑り止め部材が固定され、上記滑り止め部材を解して蛍光管に当接することから、より確実に上記蛍光管に固定することが可能となる。
【００１６】
請求項５記載の考案にあっては、上記支持板はアルミ複合板により形成されると共に、上記挟持部はアクリル樹脂製対衝撃樹脂材であることを特徴とする。
従って、請求項５記載の考案にあっては、軽量であって、かつ堅牢なＬＥＤ支持体を構成することができる。
【図面の簡単な説明】
【００１７】
【図１】本考案に係るＬＥＤ支持体の一実施の形態を、正面側及び背面側から示す斜視図である。
【図２】本考案に係るＬＥＤ支持体の一実施の形態を示す横断面図である。
【図３】本考案に係るＬＥＤ支持体の一実施の形態に係る取付説明図である。
【図４】本考案に係るＬＥＤ支持体の一実施の形態に係る取付状態を示す横断面図である。
【図５】本考案に係るＬＥＤ支持体を取り付けた蛍光灯装置の屋内のディスプレイ装置への取り付け状態を示す説明図である。
【図６】従来のディスプレイ装置に使用されている蛍光灯装置の構造を示す横断面図である。
【考案を実施するための最良の形態】
【００１８】
以下添付図面に示す実施の形態に基づき、本考案を詳細に説明する。
図１に示すように、本考案に係るＬＥＤ支持体１０は、蛍光管を備えたディスプレイ装置の蛍光管に装着できるように構成されており、ＬＥＤ１１が固定される支持板１２と、上記支持板１２に固定され、上記蛍光管を径方向に挟持しうる挟持しうる挟持部１３とを有し、上記蛍光管上において、ディスプレイ装置前方へ向けて装着できるように構成されている。
【００１９】
上記支持板１２は平面長方形状であって、長さ方向に沿って複数のＬＥＤ１１が配置固定されるように構成されると共に、上記挟持部１３は上記蛍光管を上下方向において挟持しうる一対の挟持片１４、１４からなる。
【００２０】
図１及び図２に示すように、上記挟持部１３は横断面略コ字状に形成され、平面長方形状の支持板取付片部１５と、上記支持板取付片部１５の幅方向両端部から幅方向内方へ折曲形成されると共に幅方向内方への付勢力を有する一対の挟持片１４、１４とからなり、上記挟持片１４、１４には幅方向外方へ折曲された先端部１７、１７が形成されている。
【００２１】
上記一対の先端部１７、１７の基部１９、１９の間の間隔寸法Ｌは蛍光管１８の径寸法よりも小さく形成されていると共に、上記支持板取付片部１５の裏面側には滑り止め部材２１が固定されている。
【００２２】
本実施の形態にあっては、上記支持板１２はアルミ複合板により形成されると共に、上記挟持部１３はアクリル樹脂製対衝撃材により形成されている。
【００２３】
以下、本実施の形態に係るＬＥＤ支持体１０の作用について説明する。
図３及び図４に示すように、ディスプレイ装置の正面板４５及び背面板４２を有するカバー部材４１に内装された蛍光灯部１６において、本実施の形態に係るＬＥＤ支持体１０を、両端部に配設された電極部１７、１７により支持された蛍光管１８に対して、正面方向から上記挟持部１３を利用して固定する。
【００２４】
この場合、上記挟持部１３を構成する一対の挟持片１４、１４の先端部１７、１７は、幅方向外方へ折曲されていると共に、上記のように、上記一対の先端部１７、１７の基部１９、１９の間の間隔寸法Ｌは蛍光管１８の寸法よりも小さく形成されていることから、上記一対の挟持片１４、１４により付勢力を以って上記蛍光管１８を挟持させることによりワンタッチで蛍光管１８にＬＥＤ支持体１０を装着することができる。
【００２５】
また、装着時には、一対の挟持片１４、１４の付勢力により蛍光管１８へ固定するように構成されていることから、確実にＬＥＤ支持体１０を蛍光管１８上に固定することができる。
また、上記支持板取付片部１５の裏面側には滑り止め部材２１が固定されていることから、ＬＥＤ支持体１０は蛍光管４４上でスリップすることなく蛍光管１８の正面方向において固定される。
【００２６】
図５に示すように、上記のようにＬＥＤ支持体１０が装着された蛍光灯部１６はディスプレイ装置２０のディスプレイ部２２内に内装されてディスプイ表示を内方からＬＥＤ１１により照射する。
【００２７】
なお、本実施の形態にあっては、ＬＥＤ支持体１０が、上記支持板１２がアルミ複合板により形成されると共に、上記挟持部１３がアクリル樹脂製対衝撃材により形成されている場合を例に説明したが、上記実施の形態に限定されることはない。
また、ＬＥＤ支持体１０の具体的構成、形態に関しては上記実施の形態に限定されない。さらに、本実施の形態にあっては、屋内の蛍光灯を利用したディスプレイ装置２０に適用する場合を例に説明したが、上記具体的な実施の形態は実施の形態に限定されることはない。
【産業上の利用可能性】
【００２８】
本考案は、広く、蛍光灯を利用したディスプレイ装置に適用することができる。
【符号の説明】
【００２９】
１０  ＬＥＤ支持体
１１  ＬＥＤ
１２  支持板
１３  挟持部
１４  挟持片
１５  支持板
１６  蛍光灯部
１７  先端部
１８  蛍光管
１９  基部
２０  ディスプレイ装置
２１  滑り止め部材
４０  ディスプレイ装置
４１  カバー部材
４２  背面板
４３  電極
４４  蛍光管
４５  正面板
４６  蛍光灯装置
【図１】
0003169336.tif 000003
【図２】
0003169336.tif 000004
【図３】
0003169336.tif 000005
【図４】
0003169336.tif 000006
【図５】
0003169336.tif 000007
【図６】
0003169336.tif 000008